(57)【要約】【課題】暖気の上昇気流を効率的に発生させるとともに、発熱効率を向上させ省電力化を可能とすることで、緩やかに満遍なく暖房を行うことができるヒータを提供する。【解決手段】ヒータ１は、縦方向に配置されて熱を放熱させる第１放熱パネル部１１と、第１放熱パネル部１１に対向して縦方向に配置されて熱を放熱させる第２放熱パネル部１２と、第１放熱パネル部１１と第２放熱パネル部１２の間に隙間Ｄを保持しながら、第１放熱パネル部１１と第２放熱パネル部１２の両端部を保持して設置個所に自立させる支持部材２１，２２と、を備える。【選択図】図２
2015212608.tif 000002
【特許請求の範囲】
【請求項１】
縦方向に配置されて熱を放熱させる第１放熱パネル部と、
前記第１放熱パネル部に対向して縦方向に配置されて熱を放熱させる第２放熱パネル部と、
前記第１放熱パネル部と前記第２放熱パネル部の間に隙間を保持しながら、前記第１放熱パネル部と前記第２放熱パネル部の両端部を保持して設置個所に自立させる支持部材と、を備えることを特徴とするヒータ。
【請求項２】
前記第１放熱パネル部と前記第２放熱パネル部は、共に複数枚の横長のパネル板部材を、縦方向に並べて配置することで構成され、
前記第１放熱パネル部と前記第２放熱パネル部の間の前記隙間は、暖気を上方に放出するための通路であることを特徴とする請求項１に記載のヒータ。
【請求項３】
前記支持部材の下部は、ほぼＹ字型に形成されて前記設置個所に設置される脚部分になっていることを特徴とする請求項１または２に記載のヒータ。
【請求項４】
前記第１放熱パネル部と前記第２放熱パネル部は、共に凹凸状に形成されていることを特徴とする請求項１に記載のヒータ。
【請求項５】
前記第１放熱パネル部と前記第２放熱パネル部の間に空気を取り込む部分には、フィルタが配置されていることを特徴とする請求項１ないし３のいずれかに記載のヒータ。
【請求項６】
前記第１放熱パネル部と前記第２放熱パネル部の両端部を保持して設置個所に自立させる前記支持部材は、上端部から下端部にかけて湾曲して形成されていることを特徴とする請求項１に記載のヒータ。
【請求項７】
前記第１放熱パネル部と前記第２放熱パネル部の間には、長尺状の熱源が配置されており、前記熱源の熱を、前記第１放熱パネル部と前記第２放熱パネル部から放熱させることを特徴とする請求項６に記載のヒータ。
【請求項８】
前記第１放熱パネル部と前記第２放熱パネル部の間には、長尺状の熱源が配置されており、前記熱源の熱により、前記第１放熱パネル部と前記第２放熱パネル部の隙間から暖気の上昇気流を放出させることを特徴とする請求項６に記載のヒータ。
【請求項９】
前記支持部材は、上部の本体部分と、下部の脚部分を有し、前記本体部分は直線状であり、前記脚部分は、湾曲して形成され、前記第１放熱パネル部側の前記本体部分と、前記第２放熱パネル部側の前記本体部分との間の隙間は、一定になっており、前記第１放熱パネル部側の前記脚部分と、前記第２放熱パネル部側の前記脚部分との間の隙間は、前記本体部分の前記隙間よりも大きいことを特徴とする請求項６ないし８のいずれかに記載のヒータ。
【請求項１０】
前記支持部材は、上部の本体部分と、下部の脚部分を有し、前記本体部分は直線状であり、前記脚部分は、湾曲して形成され、前記第１放熱パネル部側の前記本体部分と、前記第２放熱パネル部側の前記本体部分との間の隙間は、下方に向けて拡がっており、前記第１放熱パネル部側の前記脚部分と、前記第２放熱パネル部側の前記脚部分との間の隙間は、前記本体部分の前記隙間よりも大きいことを特徴とする請求項６ないし８のいずれかに記載のヒータ。
【請求項１１】
前記支持部材は、上部の本体部分と、下部の脚部分と、前記本体部分と前記脚部分の間の中間部分を有し、前記第１放熱パネル部側の前記本体部分と、前記第２放熱パネル部側の前記本体部分との間の隙間は、上方に向けて拡がっており、前記第１放熱パネル部側の前記脚部分と、前記第２放熱パネル部側の前記脚部分との間の隙間は、下方に向けて拡がっていることを特徴とする請求項６ないし８のいずれかに記載のヒータ。
【請求項１２】
前記支持部材は、上部の本体部分と、下部の脚部分を有し、前記本体部分と前記脚部分は直線状であり、前記第１放熱パネル部側の前記脚部分と、前記第２放熱パネル部側の前記脚部分との間の隙間は、前記第１放熱パネル部側の前記本体部分と、前記第２放熱パネル部側の前記本体部分との間の隙間に比べて、大きいことを特徴とする請求項６ないし８のいずれかに記載のヒータ。
【請求項１３】
前記支持部材は、上部の本体部分と、下部の脚部分と、前記本体部分と前記脚部分の間の中間部分を有し、前記第１放熱パネル部側の前記本体部分と、前記第２放熱パネル部側の前記本体部分との隙間は、上方に向けて拡がり、前記第１放熱パネル部側の前記脚部分と、前記第２放熱パネル部側の前記脚部分との間の隙間は、下方に向けて拡がっており、前記第１放熱パネル部側の前記中間部分と、前記第２放熱パネル部側の前記中間部分は、平行になっていることを特徴とする請求項６ないし８のいずれかに記載のヒータ。
【請求項１４】
前記支持部材は、上部の本体部分と、下部の脚部分と、前記本体部分と前記脚部分の間の中間部分を有し、前記第１放熱パネル部側の前記本体部分と、前記第２放熱パネル部側の前記本体部分との隙間は、上方に向けて拡がり、前記第１放熱パネル部側の前記脚部分と、前記第２放熱パネル部側の前記脚部分との間の隙間は、下方に向けて拡がっており、前記第１放熱パネル部側の前記中間部分と、前記第２放熱パネル部側の前記中間部分との間の隙間は、最も小さくなっていることを特徴とする請求項６ないし８のいずれかに記載のヒータ。
【請求項１５】
前記支持部材は、上部の本体部分と、下部の脚部分と、前記本体部分と前記脚部分の間の中間部分を有し、前記第１放熱パネル部側の前記本体部分と、前記第２放熱パネル部側の前記本体部分との隙間は、上方に向けて拡がり、前記第１放熱パネル部側の前記脚部分と、前記第２放熱パネル部側の前記脚部分との間の隙間は、下方に向けて拡がっており、前記第１放熱パネル部側の前記中間部分と、前記第２放熱パネル部側の前記中間部分との間の隙間は、最も小さく、前記第２放熱パネル部側の前記本体部分と前記脚部分と前記中間部分は、直線状になっていることを特徴とする請求項６ないし８のいずれかに記載のヒータ。
【請求項１６】
前記支持部材は、直線状の上部の本体部分と、直線状の下部の脚部分を有し、前記第１放熱パネル部側の前記本体部分と前記脚部分と、前記第２放熱パネル部側の前記本体部分と前記脚部分との間の隙間は、一定になっていることを特徴とする請求項６ないし８のいずれかに記載のヒータ。
【請求項１７】
縦方向に配置されて熱を放熱させる放熱パネル部と、
前記放熱パネル部の背部に離間して配置される熱源と、
前記放熱パネル部の両端部を保持して設置個所に自立させる支持部材とを、備えることを特徴とするヒータ。
【発明の詳細な説明】
【技術分野】
【０００１】
本発明は、例えばトイレの部屋や脱衣場や机の下等の設置箇所に設置して、暖気を放出するヒータに関する。
【背景技術】
【０００２】
部屋の窓下等に設置される結露防止用ヒータが、特許文献１に開示されている。この結露防止用ヒータは、例えば部屋内の窓下に置かれ外気温と部屋内の温度差により生じる結露が窓に発生する事を抑制したり、トイレの部屋内や机の下等に置かれ、トイレの部屋内や机の下等を暖めるための補助暖房として用いられる。この結露防止用ヒータでは、薄い横長の放熱パネルが、複数枚平行方向に並べて配置されている全高の低い構造であり、結露防止用放熱器はトイレの部屋内に横方向に沿って設置されるようになっている。
【先行技術文献】
【特許文献】
【０００３】
【特許文献１】特許第４３０１７５２号公報
【発明の概要】
【発明が解決しようとする課題】
【０００４】
ところが、特許文献１に記載の結露防止用ヒータは、窓に発生する結露防止が主目的であるために全高の低い構造である事から、トイレ等の部屋内の低い位置に設置されてもトイレ等の部屋内を緩やかに満遍なく暖房する事が難しく、満遍なく暖房するためには高出力のヒータが必要であった。
【０００５】
本発明は、上記に鑑みてなされたもので、その目的とするところは、暖気の上昇気流を効率的に発生させるとともに、発熱効率を向上させ省電力化を可能とすることで、緩やかに満遍なく暖房を行うことができるヒータを提供することにある。
【課題を解決するための手段】
【０００６】
上記課題を達成するため、請求項１に記載のヒータは、縦方向に配置されて熱を放熱させる第１放熱パネル部と、前記第１放熱パネル部に対向して縦方向に配置されて熱を放熱させる第２放熱パネル部と、前記第１放熱パネル部と前記第２放熱パネル部の間に隙間を保持しながら、前記第１放熱パネル部と前記第２放熱パネル部の両端部を保持して設置個所に自立させる支持部材とを、備えることを特徴とする。
【０００７】
請求項１に記載のヒータでは、熱を放熱させる第１放熱パネル部と第２放熱パネル部が縦方向に対抗し、パネル間に隙間を保持して配置されているので、暖気の上昇気流を効率的に発生させるとともに、発熱効率を向上させ省電力化を可能とすることで、緩やかに満遍なく暖房を行うことができる。
【０００８】
請求項２に記載のヒータでは、前記第１放熱パネル部と前記第２放熱パネル部は、共に複数枚の横長のパネル板部材を、縦方向に並べて配置することで構成され、前記第１放熱パネル部と前記第２放熱パネル部の間の前記隙間は、暖気を上方に放出するための通路であることを特徴とする。
【０００９】
請求項２に記載のヒータでは、横長のパネル板部材を縦方向に並べて配置することで、第１放熱パネル部と第２放熱パネル部の放熱面積を必要なだけ確保でき、第１放熱パネル部と第２放熱パネル部の間の隙間を通じて、暖気を上方に放出できることから、緩やかに満遍なく暖房を行うことができる。
【００１０】
請求項３に記載のヒータでは、前記支持部材の下部は、ほぼＹ字型に形成されて前記設置個所に設置される脚部分になっていることを特徴とする。
【００１１】
請求項３に記載のヒータでは、第１放熱パネル部と第２放熱パネル部の放熱面積を必要なだけ確保しても、ほぼＹ字型に形成されている脚部分は、第１放熱パネル部と第２放熱パネル部を設置個所において倒れないようにして確実に設置できる。
【００１２】
請求項４に記載のヒータでは、前記第１放熱パネル部と前記第２放熱パネル部は、共に凹凸状に形成されていることを特徴とする。
【００１３】
請求項４に記載のヒータでは、第１放熱パネル部と第２放熱パネル部は、共に凹凸状に形成されていることから、第１放熱パネル部と第２放熱パネル部は、平坦な放熱パネル部を用いるのに比べて、放熱面積をより多く確保することができる。
【００１４】
請求項５に記載のヒータでは、前記第１放熱パネル部と前記第２放熱パネル部の間に空気を取り込む部分には、フィルタが配置されていることを特徴とする。
【００１５】
請求項５に記載のヒータでは、取り込もうとする空気は、フィルタを通ることにより、塵埃等の浮遊物を除去することができる。
【００１６】
請求項６に記載のヒータでは、前記第１放熱パネル部と前記第２放熱パネル部の両端部を保持して設置個所に自立させる前記支持部材は、上端部から下端部にかけて湾曲して形成されていることを特徴とする。
【００１７】
請求項６に記載のヒータでは、支持部材は、上端部から下端部にかけて、湾曲して形成されているので、ヒータの外観上の美観を上げることができる。
【００１８】
請求項７に記載のヒータでは、前記第１放熱パネル部と前記第２放熱パネル部の間には、長尺状の熱源が配置されており、前記熱源の熱を、前記第１放熱パネル部と前記第２放熱パネル部から放熱させることを特徴とする。
【００１９】
請求項７に記載のヒータでは、熱源の熱を、第１放熱パネル部と前記第２放熱パネル部から放熱させることができるので、放熱効率を向上できる。
【００２０】
請求項８に記載のヒータでは、前記第１放熱パネル部と前記第２放熱パネル部の間には、長尺状の熱源が配置されており、前記熱源の熱により、前記第１放熱パネル部と前記第２放熱パネル部の隙間から暖気の上昇気流を放出させることを特徴とする。
【００２１】
請求項８に記載のヒータでは、熱源の熱により、第１放熱パネル部と前記第２放熱パネル部の隙間から、暖気の上昇気流を放出させることができる。
【００２２】
請求項９に記載のヒータでは、前記支持部材は、上部の本体部分と、下部の脚部分を有し、前記本体部分は直線状であり、前記脚部分は、湾曲して形成され、前記第１放熱パネル部側の前記本体部分と、前記第２放熱パネル部側の前記本体部分との間の隙間は、一定になっており、前記第１放熱パネル部側の前記脚部分と、前記第２放熱パネル部側の前記脚部分との間の隙間は、前記本体部分の前記隙間よりも大きいことを特徴とする。
【００２３】
請求項９に記載のヒータでは、支持部材は、第１放熱パネル部と第２放熱パネル部の間に、暖気の上昇気流の通路を確保しながら、支持部材は、第１放熱パネル部と前記第２放熱パネル部を安定して保持できる。
【００２４】
請求項１０に記載のヒータでは、前記支持部材は、上部の本体部分と、下部の脚部分を有し、前記本体部分は直線状であり、前記脚部分は、湾曲して形成され、前記第１放熱パネル部側の前記本体部分と、前記第２放熱パネル部側の前記本体部分との間の隙間は、下方に向けて拡がっており、前記第１放熱パネル部側の前記脚部分と、前記第２放熱パネル部側の前記脚部分との間の隙間は、前記本体部分の前記隙間よりも大きいことを特徴とする。
【００２５】
請求項１０に記載のヒータでは、支持部材は、第１放熱パネル部と第２放熱パネル部の間に、暖気の上昇気流の通路を確保しながら、支持部材は、第１放熱パネル部と前記第２放熱パネル部を安定して保持できる。
【００２６】
請求項１１に記載のヒータでは、前記支持部材は、上部の本体部分と、下部の脚部分と、前記本体部分と前記脚部分の間の中間部分を有し、前記第１放熱パネル部側の前記本体部分と、前記第２放熱パネル部側の前記本体部分との間の隙間は、上方に向けて拡がっており、前記第１放熱パネル部側の前記脚部分と、前記第２放熱パネル部側の前記脚部分との間の隙間は、下方に向けて拡がっていることを特徴とする。
【００２７】
請求項１１に記載のヒータでは、支持部材は、第１放熱パネル部と第２放熱パネル部の間に、暖気の上昇気流の通路を確保しながら、支持部材は、第１放熱パネル部と前記第２放熱パネル部を安定して保持できる。
【００２８】
請求項１２に記載のヒータでは、前記支持部材は、上部の本体部分と、下部の脚部分を有し、前記本体部分と前記脚部分は直線状であり、前記第１放熱パネル部側の前記脚部分と、前記第２放熱パネル部側の前記脚部分との間の隙間は、前記第１放熱パネル部側の前記本体部分と、前記第２放熱パネル部側の前記本体部分との間の隙間に比べて、大きいことを特徴とする。
【００２９】
請求項１２に記載のヒータでは、支持部材は、第１放熱パネル部と第２放熱パネル部の間に、暖気の上昇気流の通路を確保しながら、支持部材は、第１放熱パネル部と前記第２放熱パネル部を安定して保持できる。
【００３０】
請求項１３に記載のヒータでは、前記支持部材は、上部の本体部分と、下部の脚部分と、前記本体部分と前記脚部分の間の中間部分を有し、前記第１放熱パネル部側の前記本体部分と、前記第２放熱パネル部側の前記本体部分との隙間は、上方に向けて拡がり、前記第１放熱パネル部側の前記脚部分と、前記第２放熱パネル部側の前記脚部分との間の隙間は、下方に向けて拡がっており、前記第１放熱パネル部側の前記中間部分と、前記第２放熱パネル部側の前記中間部分は、平行になっていることを特徴とする。
【００３１】
請求項１３に記載のヒータでは、支持部材は、第１放熱パネル部と第２放熱パネル部の間に、暖気の上昇気流の通路を確保しながら、支持部材は、第１放熱パネル部と前記第２放熱パネル部を安定して保持できる。
【００３２】
請求項１４に記載のヒータでは、前記支持部材は、上部の本体部分と、下部の脚部分と、前記本体部分と前記脚部分の間の中間部分を有し、前記第１放熱パネル部側の前記本体部分と、前記第２放熱パネル部側の前記本体部分との隙間は、上方に向けて拡がり、前記第１放熱パネル部側の前記脚部分と、前記第２放熱パネル部側の前記脚部分との間の隙間は、下方に向けて拡がっており、前記第１放熱パネル部側の前記中間部分と、前記第２放熱パネル部側の前記中間部分との間の隙間は、最も小さくなっていることを特徴とする。
【００３３】
請求項１４に記載のヒータでは、支持部材は、第１放熱パネル部と第２放熱パネル部の間に、暖気の上昇気流の通路を確保しながら、支持部材は、第１放熱パネル部と前記第２放熱パネル部を安定して保持できる。
【００３４】
請求項１５に記載のヒータでは、前記支持部材は、上部の本体部分と、下部の脚部分と、前記本体部分と前記脚部分の間の中間部分を有し、前記第１放熱パネル部側の前記本体部分と、前記第２放熱パネル部側の前記本体部分との隙間は、上方に向けて拡がり、前記第１放熱パネル部側の前記脚部分と、前記第２放熱パネル部側の前記脚部分との間の隙間は、下方に向けて拡がっており、前記第１放熱パネル部側の前記中間部分と、前記第２放熱パネル部側の前記中間部分との間の隙間は、最も小さく、前記第２放熱パネル部側の前記本体部分と前記脚部分と前記中間部分は、直線状になっていることを特徴とする。
【００３５】
請求項１５に記載のヒータでは、支持部材は、第１放熱パネル部と第２放熱パネル部の間に、暖気の上昇気流の通路を確保しながら、支持部材は、第１放熱パネル部と前記第２放熱パネル部を安定して保持できる。
【００３６】
請求項１６に記載のヒータでは、前記支持部材は、直線状の上部の本体部分と、直線状の下部の脚部分を有し、前記第１放熱パネル部側の前記本体部分と前記脚部分と、前記第２放熱パネル部側の前記本体部分と前記脚部分との間の隙間は、一定になっていることを特徴とする。
【００３７】
請求項１６に記載のヒータでは、支持部材は、第１放熱パネル部と第２放熱パネル部の間に、暖気の上昇気流の通路を確保しながら、保持できる。
【００３８】
本発明の請求項１７に記載のヒータは、縦方向に配置されて熱を放熱させる放熱パネル部と、前記放熱パネル部の背部に配置される熱源と、前記放熱パネル部の両端部を保持して設置個所に自立させる支持部材と、を備えることを特徴とする。
【００３９】
請求項１７に記載のヒータでは、暖気の上昇気流を効率的に発生させるとともに、発熱効率を向上させ省電力化を可能とすることで、緩やかに満遍なく暖房を行うことができる。
【発明の効果】
【００４０】
本発明によれば、暖気の上昇気流を効率的に発生させるとともに、発熱効率を向上させ省電力化を可能とすることで、緩やかに満遍なく暖房を行うことができるヒータを提供できる。
【図面の簡単な説明】
【００４１】
【図１】本発明のヒータの第１実施形態をトイレの部屋に設置した例を示す図である。
【図２】図１に示す第１実施形態のヒータを示す斜視図である。
【図３】図１に示すヒータを別の角度から見た斜視図である。
【図４】第１放熱パネル部と第２放熱パネル部だけを示す斜視図である。
【図５】各パネル板部材内に配置された放熱管の例を示す図である。
【図６】本発明の第２実施形態のヒータを示す斜視図である。
【図７】図６の第２実施形態のヒータを示す別の斜視図である。
【図８】図６のヒータの分解斜視図である。
【図９】本発明の第３実施形態を示す図である。
【図１０】本発明の第４実施形態を示す図である。
【図１１】本発明の第５実施形態を示す図である。
【図１２】本発明の第６実施形態を示す図である。
【図１３】本発明の第７実施形態を示す図である。
【図１４】本発明の実施形態のヒータをトイレの部屋内に設置した場合の温度試験データ例を示す図である。
【図１５】本発明の第８実施形態を示す側面図である。
【図１６】本発明の第９実施形態を示す側面図である。
【図１７】本発明の第１０実施形態を示す側面図である。
【図１８】第１放熱パネル部と第２放熱パネル部を支えるための第１支持部材と第２支持部材の各種の形状例を示す図である。
【図１９】第１放熱パネル部と第２放熱パネル部を支えるための第１支持部材と第２支持部材の各種の形状例を示す図である。
【図２０】第１放熱パネル部と第２放熱パネル部を支えるための第１支持部材と第２支持部材の各種の形状例を示す図である。
【図２１】第１放熱パネル部と第２放熱パネル部を支えるための第１支持部材と第２支持部材の各種の形状例を示す図である。
【図２２】本発明の他の実施形態を示す斜視図である。
【図２３】本発明のさらに他の実施形態を示す図である。
【発明を実施するための形態】
【００４２】
以下、図面を用いて、本発明を実施するための形態(以下、実施形態と称する)を説明する。
【００４３】
（第１実施形態）
図１は、本発明のヒータの第１実施形態をトイレの部屋に設置した例を示す図である。図２は、図１に示すヒータを示す斜視図である。図３は、図１に示すヒータを別の角度から見た斜視図である。
【００４４】
図１に示すヒータ１の設置例としては、ヒータ１は、例えばトイレの部屋Ｈの壁Ｗの下の位置の床面部分Ｅに設置されている。このヒータ１は、小型暖房器具あるいは補助ヒータとも呼ぶことができる。図２と図３に示すように、ヒータ１は、薄型のほぼパネル状の外形形状を有しており、ヒータ１の外形寸法例を挙げれば、図２に示す高さＭが４０ｃｍであり、長さＬが５０ｃｍで、幅Ｎが１８ｃｍあるが、特に限定されず、ヒータ１の各寸法は、用途等により任意に選択できる。
【００４５】
図２と図３に示すように、ヒータ１は、第１放熱パネル部１１と、第２放熱パネル部１２と、第１支持部材２１と、第２支持部材２２を有している。第１放熱パネル部１１と第２放熱パネル部１２は、共に放熱性を有する金属材料、例えばアルミニウム材により作られているが、金属の材質は特に限定されない。第１支持部材２１と第２支持部材２２は、例えばプラスチック製であるが、プラスチックの材質は特に限定されない。
【００４６】
まず、第１放熱パネル部１１と第２放熱パネル部１２の構造例を、図２から図５を参照して説明する。
【００４７】
図２と図３に示すように、第１放熱パネル部１１と第２放熱パネル部１２は、共にＹ方向(左右方向)とＺ方向(上下方向)から成る平面に沿って、平行に配置されており、第１放熱パネル部１１と第２放熱パネル部１２との間には、Ｘ方向（前後方向）について隙間Ｄが形成されている。
【００４８】
第１放熱パネル部１１は、複数枚のパネル板部材、図２と図３に示す例では、３枚のパネル板部材１３，１４，１５から構成されている。３枚のパネル板部材１３，１４，１５は、それぞれ横長の長方形状の部材であり、Ｚ方向(上下方向)に沿って平行に並べて、しかもＹ方向(左右方向)に沿って配置されている。
【００４９】
同様にして、第２放熱パネル部１２は、複数枚のパネル板部材、図２と図３に示す例では、３枚のパネル板部材１６，１７，１８から構成されている。３枚のパネル板部材１６，１７，１８は、それぞれ横長の長方形状の部材であり、Ｚ方向(上下方向)に沿って並べて、しかもＹ方向(左右方向)に沿って配置されている。
【００５０】
なお、これら３枚のパネル板部材１３，１４，１５と３枚のパネル板部材１６，１７，１８は、それぞれが１枚のパネル板で構成してもよいのは言うまでもない。
【００５１】
図４は、第１放熱パネル部１１と第２放熱パネル部１２だけを示す斜視図である。
【００５２】
図４に示すように、上部に位置されているパネル板部材１３，１６は、対面しており、パネル板部材１３，１６の表面はほぼ平坦である。中間に位置されているパネル板部材１４，１７は、対面しており、パネル板部材１４，１７の表面はほぼ平坦である。しかし、下部に位置されているパネル板部材１５，１８は、対面しているが、パネル板部材１５は、Ｘ１方向に沿って外側に向けて湾曲しており、パネル板部材１８は、Ｘ２方向に沿って外側に向けて湾曲している。
【００５３】
第１放熱パネル部１１と第２放熱パネル部１２の隙間(以下、放熱口という)Ｄは、パネル板部材間距離であり、例えば好ましくは５ｍｍ〜５０ｍｍである。隙間Ｄが５ｍｍよりも小さいと、暖気を上昇させるのには不足であり、５０ｍｍを超えると、暖気を上昇させて自然対流させるスピードが減少するとともに、外観デザイン的に良くなく、ヒータのサイズが大きくなってしまう。
【００５４】
また、換気流入部(吸気部ともいう)９９となるパネル板部材１５，１８間の距離Ｖは、例えば３０ｍｍ以上である。この距離Ｖが、３０ｍｍよりも小さいと、室内の空気を取り入れる量が制限されてしまい、この距離Ｖを大きくしないと、暖気を上昇させて自然対流させるスピードが減少する。
【００５５】
図５は、３枚のパネル板部材１３，１４，１５と、３枚のパネル板部材１６，１７，１８内に配置された発熱体の例としての電熱線２０の例を示している。３枚のパネル板部材１３，１４，１５と、３枚のパネル板部材１６，１７，１８内には、それぞれ例えば電熱線２０が、いわゆる、つづら折り状に配置されている。ここでつづら折り状とは、長尺の電熱線２０を連続して折り返した状態であって、折り返し部分は湾曲され、折り返し部分と折り返し部分との間は、直線上に構成された状態である。また、電熱線２０は、炭素繊維ヒータを用いるが、ニクロムヒータや面状ヒータであっても良い。
【００５６】
この電熱線２０としては、例えば外周囲が電気絶縁された炭素繊維ヒータ線を採用できるが、電熱線２０の種類は特に限定されない。また、電熱線２０の配置形状は、あくまで一例であり、電熱線２０の配置形状は螺旋状に限らず、任意に設定できる。この電熱線２０は、図示しないサーモスタット等、発熱温度の上昇を防止して温度をコントロールする安全装置を介して、電源コードに接続されている。
【００５７】
次に、上述した第１支持部材２１と第２支持部材２２について、図２から図４を参照して説明する。
【００５８】
第１支持部材２１と第２支持部材２２は、共に電気絶縁性を有するプラスチック材料により作られており、左右対称形状を有している。ただし、第２支持部材２２の下部は、機能切替を可能とする電源スイッチ３１と電源スイッチ３２を有している。第１支持部材２１と第２支持部材２２は、３枚のパネル板部材１３，１４，１５と、３枚のパネル板部材１６，１７，１８をそれぞれ対面させた状態で保持している。これらの第１支持部材２１と第２支持部材２２は、長方形状の本体部分４０と、下部の脚部分４１を有している。
【００５９】
第１支持部材２１の本体部分４０と、第２支持部材２２の本体部分４０は、３枚のパネル板部材１３，１４，１５と、３枚のパネル板部材１６，１７，１８をそれぞれ対面させた状態で、３枚のパネル板部材１３，１４，１５と、３枚のパネル板部材１６，１７，１８の両端部を挟んで保持している。第１支持部材２１の脚部分４１と、第２支持部材２２の脚部分４１は、それぞれほぼ逆Ｙ字型に形成されており、例えば半円弧状の半円形の凹部分４２を有している。
【００６０】
このように、第１支持部材２１の脚部分４１と、第２支持部材２２の脚部分４１は、それぞれほぼ逆Ｙ字型に形成されていることで、半円形の凹部分４２を有しているので、ヒータ１は、例えば図１に示すように、例えばトイレの部屋Ｈの壁Ｗの下の位置の床面部分Ｅにおいて、安定して設置することができる。
【００６１】
本発明の実施形態のヒータ１は、暖気の上昇気流を効果的に発生させることができる。すなわち、煙突効果で暖気の上昇気流を発生させ、暖かい空気を室内に自然対流させる。煙突効果により効果的に室内を暖めるためには、対流速度を上げて短時間で室内に暖かい空気を充満させる事が必要である。そのためには、排気口の隙間Ｄの温度と吸気部である半円形の凹部分４２の温度差が大きい事と、吸気量が多い事が必要である事から、本発明の実施形態のヒータでは、排気口の隙間Ｄの寸法よりも、吸気部である半円形の凹部分４２のパネル板部材１５，１８間の換気流入部９９の距離Ｖ(幅)の寸法が大きい、逆Ｙ字型の形状にする事により解決する。
【００６２】
次に、上述したヒータ１の使用例を説明する。
【００６３】
図１に示す設置例では、ヒータ１は、トイレの部屋Ｈの壁Ｗの下の位置の床面部分Ｅに設置されている。ヒータ１がこの床面部分Ｅに設置される。一例として冬季では、室外ＯＴでは冷気Ｃが壁Ｗの外面側に吹き付けることから、トイレの部屋Ｈの室内ＩＮでは、壁Ｗの内面側に沿って冷気Ｃが生じる。ヒータ１が床面部分Ｅに設置されると、このヒータ１から矢印で示すように暖気１００が上昇気流として発生して流れる。
【００６４】
これにより、ヒータ１を使用すると、壁Ｗの内面側に沿って暖気１００が上昇気流として上昇するので、ヒータ１は、室内ＩＮにおける湿った暖かい空気の温度と、壁Ｗの際での温度との差を少なくして、壁Ｗの内面に生じる結露の発生を抑制することができる。また、ヒータ１の暖気１００は、壁Ｗからの冷気Ｃが室内ＩＮに侵入するのを防止できる。ヒータ１は、ヒータ表面より出た輻射熱と、ヒータパネル間から煙突効果により発生する上昇気流により、トイレ室内の温度を短時間で快適な状態に上昇させることができる。
【００６５】
図２から図４に示すヒータ１では、使用者が電源スイッチ３１を押して、商用電源から安全装置を介して図５に示す電熱線２０に通電することで、電熱線２０により生じる熱による温度は安全装置により、一定以上には上がらない。
【００６６】
図２から図４に示すように、電熱線２０に通電すると、電熱線２０で生じる熱は、第１放熱パネル部１１の３枚のパネル板部材１３，１４，１５と、第２放熱パネル部１２の３枚のパネル板部材１６，１７，１８を通じて放出される。
【００６７】
しかも、電熱線２０に通電すると、室内の空気は、第１支持部材２１の下部の脚部分４１の凹部分４２と、第２支持部材２２の下部の脚部分４１の凹部分４２から、第１放熱パネル部１１と第２放熱パネル部１２の隙間Ｄに入り込む。この入り込んだ室内の空気は、３枚のパネル板部材１３，１４，１５と３枚のパネル板部材１６，１７，１８との間の隙間Ｄを通じて暖気１００となって、図１に示すように、この暖気１００は、矢印で示すように上昇気流として、壁Ｗに沿って上昇する。
【００６８】
ヒータ１は、図１に例示したように、トイレの部屋Ｈの壁Ｗの下の位置に設置する場合の他に、窓際の下の位置や机の下等に設置して、暖房を行うことができる。２組の金属板である第１放熱パネル部１１と第２放熱パネル部１２の間には、隙間Ｄを持たせてあり、平面的な金属板を重ね合せることにより放出される熱は、金属板の隙間Ｄからの暖気１００として上昇気流を発生させる。このため、第１放熱パネル部１１と第２放熱パネル部１２を使用し、隙間Ｄを有する本発明の実施形態のヒータ１は、通常用いられている１枚の板を使用するヒータに比べて、暖気を室内に強く放出することができるので、省電力と省エネルギ化を図ることができる。
【００６９】
このヒータ１は、Ｚ方向とＹ方向に延びた第１放熱パネル部１１と第２放熱パネル部１２を有する縦型の暖房器であるので、暖気の上昇気流を効率的に発生させるとともに、発熱効率を向上させ省電力化を可能とすることで、緩やかに満遍なく暖房を行うことができる。
【００７０】
（第２実施形態）
次に、本発明の第２実施形態を、図６から図８を参照して説明する。
【００７１】
図６は、本発明の第２実施形態のヒータ１Ｂを示す斜視図であり、図７は、図６のヒータ１Ｂを示す別の斜視図である。図８は、図６のヒータ１Ｂの分解斜視図である。
【００７２】
図６から図８に示すように、ヒータ１Ｂは、放熱部１１０と、第１支持部材１２１と、第２支持部材１２２を有している。放熱部１１０の両端部は、第１支持部材１２１と、第２支持部材１２２にはめ込まれることで、それぞれ支持されている。第１支持部材１２１と第２支持部材１２２は、例えばプラスチック製であるが、特に限定されない。
【００７３】
放熱部１１０は、放熱性を有する金属材料、例えばアルミニウム材により作られている。放熱部１１０は、第１放熱パネル部１３１と、第２放熱パネル部１３２と、放熱パネル部上部１３３と、放熱パネル部下部１３４により形成されている。
【００７４】
放熱パネル部上部１３３と放熱パネル部下部１３４は、Ｙ方向に沿って形成されている幅の狭い部分である。第１放熱パネル部１３１の外側表面は、例えば横長の複数の断面円弧状の放熱部分１４１をＺ方向に連続するように並べて形成されている。同様にして、第２放熱パネル部１３２は、例えば横長の複数の断面円弧状の放熱部分１４２をＺ方向に連続するように並べて形成されている。各放熱部分１４１，１４２は、Ｙ方向に横長に形成されている。なお、第１放熱パネル部１３１及び第２放熱パネル部１３２の内側表面は、その断面図に示すように平面であるが、外側と同様に波状に形成しても良い。
【００７５】
このような構造を有する加熱部１１０の内部には、図６に例示するように、電熱線２０Ｒ及び電熱線２０Ｌが配置されており、電熱線２０Ｒ及び電熱線２０Ｌは、好ましくは図８に示す放熱部分１４１，１４２の間で、放熱部分１４１，１４２に沿って（Ｙ方向に沿って）配置されているが、これに限定されない。
【００７６】
図６と図８に示すように、ヒータ１Ｂの放熱部１１０の放熱パネル部上部１３３には、放熱口としての隙間Ｄが形成されている。また、放熱部１１０の放熱パネル部下部１３４には、換気流入部９９が形成されている。これにより、電熱線２０Ｒ及び電熱線２０Ｌに通電すると、室内の空気は、放熱部１１０の換気流入部９９から入り込んで、この入り込んだ室内の空気は、隙間Ｄを通じて暖気１００の上昇気流となる。
【００７７】
放熱部１１０は、第１放熱パネル部１３１と第２放熱パネル部１３２と放熱パネル部上部１３３と放熱パネル部下部１３４を、切れ目なく連続して形成されている。放熱部１１０の一端部側の開口部１５１には、第１支持部材１２１をはめ込むことで取り付けられている。同様にして、放熱部１１０の他端部側の開口部１５２には、第２支持部材１２２をはめ込むことで取り付けられている。
【００７８】
第１支持部材１２１と第２支持部材１２２は、同じ構造を有しており、脚部１６０と、複数の挿入部１６１と、各挿入部１６１に連続して形成されている端部１６２を有している。複数の挿入部１６１は、Ｚ方向に直列に連続して形成されており、脚部１６０は最も下部の挿入部１６１に形成されている。
【００７９】
これにより、放熱部１１０の凹凸状の一端部側の開口部１５１には、第１支持部材１２１の複数の挿入部１６１をはめ込んで、放熱部１１０の凹凸状の一端部を第１支持部材１２１の端部１６２に突き当てることで、第１支持部材１２１は、放熱部１１０の一端部側の開口部１５１側に取り付けることができる。
【００８０】
同様にして、放熱部１１０の凹凸状の他端部側の開口部１５２には、第２支持部材１２２の複数の挿入部１６１をはめ込んで、放熱部１１０の凹凸状の他端部を第２支持部材１２２の端部１６２に突き当てることで、第２支持部材１２２は、放熱部１１０の他端部側の開口部１５２側に取り付けることができる。
【００８１】
これにより、第１支持部材１２１と第２支持部材１２２は、図８に示すように、第１放熱パネル部１３１と第２放熱パネル部１３２とを、第１放熱パネル部１３１と第２放熱パネル部１３２の両端部を保持して設置個所に自立させることができる。
【００８２】
図６から図８に示すヒータ１Ｂは、図１に例示するトイレの部屋Ｈの壁Ｗの下の位置に設置する場合の他に、窓際の下の位置や机の下等に設置して、暖房を行うことができる。金属板である第１放熱パネル部１３１と第２放熱パネル部１３２は、凹凸状に形成されているので、平坦面に形成されている放熱パネル部を用いる場合に比べて、放熱面積が大きく取れる。このため、ヒータ１Ｂは、第１放熱パネル部１３１と第２放熱パネル部１３２を使用して、通常用いられている１枚の板を使用するヒータに比べて、室内に暖気を強く放出することができるので、省電力と省エネルギ化を図ることができる。
【００８３】
ヒータ１Ｂは、Ｚ方向とＹ方向に延びた第１放熱パネル部１３１と第２放熱パネル部１３２を有する縦型の暖房器であるので、暖気の上昇気流を効率的に発生させるとともに、発熱効率を向上させ省電力化を可能とすることで、緩やかに満遍なく暖房を行うことができる。
【００８４】
（第３実施形態）
次に、本発明の第３実施形態を、図９を参照して説明する。
【００８５】
図９に示すヒータ１Ａは、図２から図５に示すヒータ１とほぼ同じ構造を有しているので、同様の箇所には同じ符号を記して、その説明を省略する。図９に示すヒータ１Ａが、図２から図５に示すヒータ１と異なるのは、第１放熱パネル部１１Ａは、４枚のパネル板部材１３，１４，１５，１５Ａから構成され、第２放熱パネル部１２Ａは、４枚のパネル板部材１６，１７，１８，１８Ａから構成されていることである。このように、第１放熱パネル部１１Ａと第２放熱パネル部１２Ａを構成するパネル板部材の枚数は、４枚であっても、２枚であっても、５枚以上であっても良い。
【００８６】
（第４実施形態）
次に、本発明の第４実施形態を、図１０を参照して説明する。
【００８７】
図１０（Ａ）に示すように、図２から図４に示すヒータ１と図９に示すヒータ１Ａの第１支持部材２１の脚部分４１と、第２支持部材２２の脚部分４１は、それぞれほぼ逆Ｙ字型に形成されており、半円弧状の凹部分４２を有している。これに対して、図１０（Ｂ）に示す第４実施形態では脚部分４１Ａの間の凹部分４２Ａは、図１０（Ａ）に示す脚部分４１の間の凹部分４２に比べて小さくなっている。このようにすることで、脚部分４１における空き部分を減らすことできる。
【００８８】
（第５実施形態）
次に、本発明の第５実施形態を、図１１を参照して説明する。
【００８９】
図１１の第５実施形態では、第１放熱パネル部１１と第２放熱パネル部１２の間に、さらに第３放熱パネル部５０が配置されている例である。第１放熱パネル部１１と第２放熱パネル部１２と第３放熱パネル部５０の間にはそれぞれ隙間Ｄが形成されている。これにより、第１放熱パネル部１１と第２放熱パネル部１２と第３放熱パネル部５０内の電熱線を発熱させることで、さらに多くの暖気１００を上昇気流として隙間Ｄから上昇気流として放出することができる。
【００９０】
（第６実施形態）
次に、本発明の第６実施形態を、図１２を参照して説明する。
【００９１】
図１２に示す第６実施形態のヒータ１では、第１支持部材２１の脚部分４１の凹部分４２と、第２支持部材２２の脚部分４１の凹部分４２には、それぞれ例えばフィルタ６０が交換可能に取り付けられている。これにより、室内の空気が、凹部分４２から第１放熱パネル部１１と第２放熱パネル部１２内に入り込む際に、フィルタ６０が塵埃等の細かい浮遊物等を除去するので、ヒータ１は塵埃等を除去した空気を暖めて、暖気１００を上昇気流として隙間Ｄから放出することができる。
【００９２】
（第７実施形態）
次に、本発明の第７実施形態を、図１３を参照して説明する。
【００９３】
図１３に示す第７実施形態では、ヒータ１の底部にフィルタ７０が配置されている。これにより、室内の空気が、ヒータ１の底部から第１放熱パネル部１１と第２放熱パネル部１２内に入り込む際に、フィルタ６０が塵埃等の細かい浮遊物等を除去するので、ヒータ１は塵埃等を除去した空気を暖めて、暖気１００を上昇気流として放出することができる。なお、第６実施形態と第７実施形態は組み合わせて用いることができる。
【００９４】
図１４は、本発明の実施形態のヒータを、トイレの部屋内に設置した場合の温度試験データ例を示している。
【００９５】
図１４に示すグラフは、横軸が経過時間（時）であり、縦軸は温度（℃）を示している。図１４に例示するように、曲線ＬＮ１は、トイレの外側の廊下の温度の変化を、比較例として示している。この曲線ＬＮ１で示す廊下の温度は、時間の経過とともに徐々に低下している。
【００９６】
これに対して、曲線ＬＮ２は、ヒータを用いた際のトイレの部屋の床面から８０ｃｍの位置での温度の変化を示している。曲線ＬＮ３は、ヒータを用いた際のヒータの表面の温度の変化を示している。
【００９７】
これにより、曲線ＬＮ１で示すトイレの外側の廊下の温度は、時間の経過とともに徐々に低下しているにもかかわらず、曲線ＬＮ２で示すトイレの部屋の床面から８０ｃｍの位置での温度と曲線ＬＮ３で示すヒータの表面は、略一定値を保っており、トイレの部屋内の温度を一定に保持することができる。
【００９８】
（第８実施形態）
図１５は、本発明の第８実施形態を示す斜視図である。
【００９９】
図１５に示す第８実施形態のヒータ１Ｓが、図２に示す第１実施形態のヒータ１と異なるのは、次の点である。
【０１００】
すでに説明したように、図２に示す第１実施形態のヒータ１では、支持部材２１，２２は、それぞれ長方形状の本体部分４０と、下部の脚部分４１を有している。
【０１０１】
図２に示す第１実施形態のヒータ１では、第１支持部材２１の本体部分４０と、第２支持部材２２の本体部分４０は、Ｚ方向に沿って直線状に形成されている。そして、第１支持部材２１の脚部分４１と、第２支持部材２２の脚部分４１は、それぞれほぼ逆Ｙ字型に形成されており、例えば半円弧状の半円形の凹部分４２を有している。
【０１０２】
これに対して、図１５に示す第８実施形態のヒータ１Ｓは、第１放熱パネル部１１と、第２放熱パネル部１２と、第１支持部材１２１と第２支持部材１２２を有している。これらの第１支持部材１２１と第２支持部材１２２は、共に電気絶縁性を有するプラスチック材料により作られており、左右対称形状を有している。
【０１０３】
第２支持部材１２２の下部は、機能切替を可能とする電源スイッチ３１と電源スイッチ３２を有している。第１支持部材１２１と第２支持部材１２２は、第１放熱パネル部１１の３枚のパネル板部材１３，１４，１５と、第２放熱パネル部１２の３枚のパネル板部材１６，１７，１８をそれぞれ対面させた状態で保持し、第１支持部材１２１と第２支持部材１２２を床面部分Ｅに設置した時に、第１放熱パネル部１１と第２放熱パネル部１２は、床面部分Ｅより１ｍｍ以上の吸気用隙間を保持できる構造を有している。
【０１０４】
ただし、パネル板部材１３，１４，１５とパネル板部材１６，１７，１８は、第１支持部材１２１と第２支持部材１２２の形状に合わせて、曲面状に形成されている。これらの第１支持部材２１と第２支持部材２２は、それぞれ上部の本体部分１４０と、下部の脚部分１４１を有している。
【０１０５】
図１５に示すように、左右の第１支持部材１２１，１２２は、第１放熱パネル部１１と第２放熱パネル部１２の両端部を保持して設置個所に自立させる。この支持部材１２１，１２２は、上端部から下端部にかけて、湾曲して形成されている。これにより、ヒータ１Ｓの外観上の美観を上げることができる。
【０１０６】
第１支持部材１２１の本体部分１４０と、第２支持部材１２２の本体部分１４０は、３枚の曲面状のパネル板部材１３，１４，１５と、３枚の曲面状のパネル板部材１６，１７，１８をそれぞれ対面させた状態で、３枚のパネル板部材１３，１４，１５と、３枚のパネル板部材１６，１７，１８の両端部を挟んで保持している。
【０１０７】
第１支持部材１２１の本体部分１４０と、第２支持部材１２２の本体部分１４０は、それぞれ外側である矢印Ｎ方向（Ｘ方向）に沿った形で湾曲して形成されており、同様にして第１支持部材１２１の脚部分１４１と、第２支持部材１２２の脚部分１４１の、それぞれ外側である矢印Ｎ方向（Ｘ方向）に沿った形で湾曲して形成されている。
【０１０８】
このように第１支持部材１２１と第２支持部材１２２の形状を、全体として弓型に反るように形成している。すなわち、上部の本体部分１４０と下部の脚部分１４１が弓型に反った形に形成されている。これにより、ヒータ１Ｓは、外観上の美観が優れ、第１放熱パネル部１１と第２放熱パネル部１２と、の間における暖気の上昇気流の通りを良くして、暖気の上昇気流（暖気の流れ）を良くすることで、発熱効率をより向上させることができる。
【０１０９】
（第９実施形態）
図１６は、本発明の第９実施形態を示す側面図である。
【０１１０】
図１６に示すヒータ１Ｓは、図１５に示すヒータ１Ｓと外観が同じである。このヒータ１Ｓは、第１放熱パネル部１１と第２放熱パネル部１２の間に、棒状の熱源１９０がＹ方向（図１６に紙面垂直方向）に沿って配置されている。この熱源１９０が発生する熱は、矢印で示すように、第１放熱パネル部１１と第２放熱パネル部１２に伝わることにより、第１放熱パネル部１１と第２放熱パネル部１２から、熱を放出することができる。
【０１１１】
このように、第１放熱パネル部１１と第２放熱パネル部１２の間には、長尺状の熱源１９０が配置されており、熱源１９０の熱を、第１放熱パネル部１１と前記第２放熱パネル部１２から放熱させることができるので、放熱効率を向上できる。
【０１１２】
（第１０実施形態）
図１７は、本発明の第１０実施形態を示す側面図である。
【０１１３】
図１７に示すヒータ１Ｓは、図１５に示すヒータ１Ｓと外観が同じである。このヒータ１Ｓは、第１放熱パネル部１１と第２放熱パネル部１２の間に、棒状の熱源１９０がＹ方向（図１６に紙面垂直方向）に沿って配置されている。この熱源１９０が発生する熱は、第１放熱パネル部１１と第２放熱パネル部１２から、熱を放出するだけではなく、矢印ＭＺ（Ｚ方向）で示すように、暖気の上昇気流として、第１放熱パネル部１１と第２放熱パネル部１２の間の上部の隙間Ｄから放出することができる。
【０１１４】
このように、第１放熱パネル部１１と第２放熱パネル部１２の間には、長尺状の熱源１９０が配置されており、熱源１９０の熱により、第１放熱パネル部１１と前記第２放熱パネル部１２の隙間から、暖気の上昇気流を放出させることができ、放熱効率を向上できる。
【０１１５】
図１８から図２１は、第１放熱パネル部１１と第２放熱パネル部１２を支えるための第１支持部材と第２支持部材の各種の形状例を示している。
【０１１６】
図１８（Ａ）に示す第１支持部材２１と第２支持部材２２の形状は、図２に示す第１実施形態の例と同様の形状であり、支持部材２１，２２は、既に説明したように、それぞれ直線状の本体部分４０と、下部の脚部分４１を有している。２つの本体部分４０の隙間は、同一寸法であるが、下部の脚部分４１，４１は湾曲していることで隙間が拡がっている。
【０１１７】
このように、支持部材２１，２２は、上部の本体部分４０と、下部の脚部分４１を有し、本体部分４０は直線状であり、脚部分４１は、湾曲して形成されている。第１放熱パネル部１１側の本体部分４０と、第２放熱パネル部１２側の本体部分４０との間の隙間は、一定になっており、第１放熱パネル部１１側の脚部分４１と、第２放熱パネル部１２側の脚部分４１との間の隙間は、本体部分の隙間よりも大きい。これにより、支持部材２１，２２は、第１放熱パネル部１１と第２放熱パネル部１２の間に、暖気の上昇気流の通路を確保しながら、支持部材２１，２２は、第１放熱パネル部１１と第２放熱パネル部１２を安定して保持できる。
【０１１８】
図１８（Ｂ）に示す第１支持部材２１と第２支持部材２２は、それぞれ直線状の本体部分４０と、湾曲した下部の脚部分４１を有している。２つの本体部分４０の隙間は、同一寸法ではなく、下に行くに従って徐々に拡がっており、下部の脚部分４１，４１は湾曲していることで隙間がさらに拡がっている。
【０１１９】
このように、支持部材２１，２２は、上部の本体部分４０と、下部の脚部分４１を有し、本体部分４０は直線状であり、脚部分４１は、湾曲して形成され、第１放熱パネル部１１側の本体部分４０と、第２放熱パネル部１２側の本体部分４０との間の隙間は、下方に向けて拡がっている。第１放熱パネル部１１側の脚部分４１と、第２放熱パネル部１２側の脚部分４１との間の隙間は、本体部分４０の隙間よりも大きい。これにより、支持部材２１，２２は、第１放熱パネル部１１と第２放熱パネル部１２の間に、暖気の上昇気流の通路を確保しながら、支持部材２１，２２は、第１放熱パネル部１１と第２放熱パネル部１２を安定して保持できる。
【０１２０】
図１９（Ａ）に示す第１支持部材２２１と第２支持部材２２２は、上部の湾曲した本体部分２４０と下部の湾曲した脚部分２４１を有している。上部の湾曲した本体部分２４０，２４０の隙間Ｄ１は、下部の湾曲した脚部分２４１，２４１の隙間Ｄ２に比べて、小さく設定されている。そして、中心部分２４９，２４９の隙間Ｄ３が、隙間Ｄ１、Ｄ２に比べて最も狭くなっている。
【０１２１】
このように、支持部材２２１，２２２は、上部の本体部分２４０と、下部の脚部分２４１と、本体部分２４０と脚部分２４１の間の中間部分２４９を有している。第１放熱パネル部１２側の本体部分２４０と、第２放熱パネル部１２側の本体部分２４０との間の隙間Ｄ１は、上方に向けて拡がっており、第１放熱パネル部１１側の脚部分２４１と、第２放熱パネル部１２側の脚部分２４１との間の隙間Ｄ２は、下方に向けて拡がっている。これにより、支持部材２２１，２２２は、第１放熱パネル部１１と第２放熱パネル部１２の間に、暖気の上昇気流の通路を確保しながら、支持部材２２１，２２２は、第１放熱パネル部１１と第２放熱パネル部１２を安定して保持できる。
【０１２２】
図１９（Ｂ）に示す第１支持部材３２１と第２支持部材３２２では、上部の本体部分３４０と下部の脚部分３４１は、共に直線状になっているが、互いに反対方向に傾斜している。このため、上部の本体部分３４０，３４０の隙間Ｄ４は、下部の脚部分３４１，３４１の隙間Ｄ５に比べて小さくなっている。
【０１２３】
このように、支持部材３２１，３２２は、上部の本体部分３４０と、下部の脚部分３４１を有し、本体部分３４０と脚部分３４１は直線状である。第１放熱パネル部１１側の脚部分３４１と、第２放熱パネル部１２側の脚部分３４１との間の隙間Ｄ５は、第１放熱パネル部１１側の本体部分３４０と、第２放熱パネル部１２側の本体部分３４０との間の隙間Ｄ４に比べて、大きい。これにより、支持部材３２１，３２２は、第１放熱パネル部１１と第２放熱パネル部１２の間に、暖気の上昇気流の通路を確保しながら、支持部材３２１，３２２は、第１放熱パネル部１１と第２放熱パネル部１２を安定して保持できる。
【０１２４】
図２０（Ａ）に示す第１支持部材４２１と第２支持部材４２２は、上部の本体部分４４０と下部の脚部分４４１と中間部分４４２を有している。上部の本体部分４４０と下部の脚部分４４１と中間部分４４２の全て直線状であるが、上部の本体部分４４０，４４０の隙間は拡がっており、下部の脚部分４４１，４４１の隙間も拡がっている。中間部分４４２，４４２は平行である。上部の本体部分４４０，４４０の隙間Ｄ６は、下部の脚部分４４１，４４１の隙間Ｄ７よりも小さい。
【０１２５】
このように、支持部材４２１，４２２は、上部の本体部分４４０と、下部の脚部分４４１と、本体部分４４０と脚部分４４１の間の中間部分４４２を有している。第１放熱パネル部１１側の本体部分４４０と、第２放熱パネル部１２側の本体部分４４０との隙間Ｄ６は、上方に向けて拡がり、第１放熱パネル部１１側の脚部分４４１と、第２放熱パネル部１２側の脚部分４４１との間の隙間Ｄ７は、下方に向けて拡がっている。しかも、第１放熱パネル部１１側の中間部分４４２と、第２放熱パネル部１２側の中間部分４４２は、平行になっている。これにより、支持部材４２１，４２２は、第１放熱パネル部１１と第２放熱パネル部１２の間に、暖気の上昇気流の通路を確保しながら、支持部材４２１，４２２は、第１放熱パネル部１１と第２放熱パネル部１２を安定して保持できる。
【０１２６】
図２０（Ｂ）に示す第１支持部材５２１と第２支持部材５２２は、上部の直線状の本体部分５４０と下部の直線状の脚部分５４１を有している。中間部分５４９，５４９の隙間は最も小さく、上部の直線状の本体部分５４０，５４０の隙間Ｄ８は拡がっており、下部の直線状の脚部分５４１，５４１の隙間Ｄ９も拡がっている。上部の直線状の本体部分５４０，５４０の隙間Ｄ８は、下部の直線状の脚部分５４１，５４１の隙間Ｄ９よりも小さい。
【０１２７】
このように、支持部材５２１，５２２は、上部の本体部分５４０と、下部の脚部分５４１と、本体部分５４０と脚部分５４１の間の中間部分５４９を有している。第１放熱パネル部１１側の本体部分５４０と、第２放熱パネル部１２側の本体部分５４０との隙間Ｄ８は、上方に向けて拡がり、第１放熱パネル部１１側の脚部分５４１と、第２放熱パネル部１２側の脚部分５４１との間の隙間Ｄ９は、下方に向けて拡がっており、第１放熱パネル部１１側の中間部分５４９と、第２放熱パネル部１２側の中間部分５４９との間の隙間は、最も小さくなっている。これにより、支持部材５２１，５２２は、第１放熱パネル部１１と第２放熱パネル部１２の間に、暖気の上昇気流の通路を確保しながら、支持部材５２１，５２２は、第１放熱パネル部１１と第２放熱パネル部１２を安定して保持できる。
【０１２８】
図２１（Ａ）に示す第１支持部材６２１と第２支持部材６２２では、折れ曲がった本体部分６４０と直線状の本体部分６４０Ａと、折れ曲がった脚部分６４１と直線状の脚部分６４１Ａを有している。折れ曲がった本体部分６４０と直線状の本体部分６４０Ａの隙間Ｄ１０は、折れ曲がった脚部分６４１と直線状の脚部分６４１Ａの隙間Ｄ１１よりも小さい。
【０１２９】
このように、支持部材６２１，６２２は、上部の本体部分６４０，６４０Ａと、下部の脚部分６４１，６４１Ａと、本体部分と脚部分の間の中間部分６４２，６４２Ａを有している。第１放熱パネル部１１側の本体部分６４１と、第２放熱パネル部１２側の本体部分６４１Ａとの隙間Ｄ１０は、上方に向けて拡がり、第１放熱パネル部１１側の脚部分６４１と、第２放熱パネル部１２側の脚部分６４１Ａとの間の隙間Ｄ１１は、下方に向けて拡がっている。第１放熱パネル部１１側の中間部分６４２と、第２放熱パネル部１２側の中間部分６４２Ａとの間の隙間Ｄ１２は、最も小さく、第１放熱パネル部１１側の中間部分６４２は折れ曲がっており、第２放熱パネル部１２側の本体部分６４０Ａと脚部分６４１Ａと中間部分６４２Ａは、直線状になっている。これにより、支持部材６２１，６２２は、第１放熱パネル部１１と第２放熱パネル部１２の間に、暖気の上昇気流の通路を確保しながら、支持部材６２１，６２２は、第１放熱パネル部１１と第２放熱パネル部１２を安定して保持できる。なお、。第１放熱パネル部１１側の中間部分６４２の折れ曲がり角度は０度から５０度くらいまでの間で任意に設定可能であり、また角部は若干の湾曲を帯びていても構わない。
【０１３０】
図２１（Ｂ）に示す第１支持部材７２１と第２支持部材７２２では、湾曲状の本体部分７４０と湾曲状の脚部分７４１を有している。このため、向かい合っている第１放熱パネル部と第２放熱パネル部は、共に放熱面が弧状である湾曲状である。
【０１３１】
これにより、支持部材７２１，７２２は、湾曲する第１放熱パネル部１１と第２放熱パネル部１２を保持して、第１放熱パネル部１１と第２放熱パネル部１２の放熱面積を大きくすることができる。支持部材７２１，７２２は、第１放熱パネル部１１と第２放熱パネル部１２の間に、暖気の上昇気流の通路を確保しながら、第１放熱パネル部１１と第２放熱パネル部１２を保持できる。なお、この段数は、図２１（Ｂ）に示す２段に限定されることなく、１段から、２段、３段、４段と任意の段数に増やしても良い。
【０１３２】
図２２は、本発明のさらに別の実施形態を示す斜視図である。
【０１３３】
図２２に示すヒータ１Ｒは、上述した各実施形態で示したように第１放熱パネル部と第２放熱パネル部を有してはおらず、１つの放熱パネル部８１１を有している。この１つの放熱パネル部８１１の背部には、離間して第２放熱パネル部を兼ねる熱源（発熱体）８５０が配置されている。放熱パネル部８１１は、縦方向に配置されて、熱源８５０が発生する輻射熱によって加熱されて放熱する。つまり熱源８５０の熱により、第１放熱パネル部８１１と当該熱源８５０の隙間から、暖気の上昇気流を放出させることができ、放熱効率を向上できる。
【０１３４】
２つの支持部材８３０は、放熱パネル部８１１の両端部を保持して設置個所に自立させる。これにより、この実施形態では、この熱源８５０の熱は、１つの放熱パネル部８１１を通じて輻射による放熱を片面からすることができる。
【０１３５】
図２３（Ａ）と図２３（Ｂ）は、本発明のさらに別の実施形態を示している正面図である。図２３では、ヒータの横方向の寸法と縦方向の寸法が任意に選択でき、横方向の寸法と縦方向の寸法の大きさにより、ヒータの用途を決めることができることを示している。
【０１３６】
図２３（Ａ）に示すヒータ１Ｐと、図２３（Ｂ）に示すヒータ１Ｗは、横方向の寸法と縦方向の寸法の比である縦横比が異なる。
【０１３７】
図２３（Ａ）に示すヒータ１Ｐは、その横方向の長さが、縦方向の長さに比べてかなり大きくなっている。このヒータ１Ｐは、例えば部屋内の窓下に置くことで、暖気の上昇気流を分散させて、外気温と部屋内の温度差により生じる結露が窓に発生するのを抑制できる。
【０１３８】
また、図２３（Ｂ）に示すヒータ１Ｗは、その横方向の長さが、縦方向の長さに比べて大きくは差が無いようにすることで、暖気の上昇気流の指向性を上げることができる。
【０１３９】
なお、上述した本発明のいずれの実施形態においても、放熱パネル部上の温度は、好ましくは５０℃を超えないようにすることで、使用者に対する安全性を確保できる。
【０１４０】
本発明の実施形態のヒータは、縦方向に配置されて熱を放熱させる第１放熱パネル部と、第１放熱パネル部に対向して縦方向に配置されて熱を放熱させる第２放熱パネル部と、第１放熱パネル部と第２放熱パネル部の間に隙間を保持しながら、第１放熱パネル部と第２放熱パネル部の両端部を保持して設置個所に自立させる支持部材と、を備える。
【０１４１】
これにより、熱を放熱させる第１放熱パネル部と第２放熱パネル部が縦方向に対抗して配置されているので、例えばトイレの部屋等において、暖気の上昇気流を発生させることで、暖気の上昇気流を効率的に発生させるとともに、発熱効率を向上させ省電力化を可能とすることで、緩やかに満遍なく暖房を行うことができる。
【０１４２】
ヒータ１では、第１放熱パネル部１１と第２放熱パネル部１２は、共に複数枚の横長のパネル板部材１３〜１８を、縦方向に並べて配置することで構成され、第１放熱パネル部１１と第２放熱パネル部１２の間の隙間Ｄは、暖気を上方に放出するための通路である。これにより、横長のパネル板部材１３〜１８を縦方向に並べて配置することで、第１放熱パネル部１１と第２放熱パネル部１２の放熱面積を必要なだけ確保でき、第１放熱パネル部１１と第２放熱パネル部１２の間の隙間を通じて、暖気を上方に放出できることから、満遍なく暖房を行うことができる。
【０１４３】
ヒータ１では、支持部材２１，２２の下部は、ほぼＹ字型に形成されて設置個所に設置される脚部分４１になっている。これにより、第１放熱パネル部１１と第２放熱パネル部１２の放熱面積を必要なだけ確保しても、ほぼＹ字型に形成されている脚部分４１は、第１放熱パネル部１１と第２放熱パネル部１２を設置個所において倒れないようにして確実に設置できる。
【０１４４】
ヒータ１Ｂでは、第１放熱パネル部１３１と第２放熱パネル部１３２は、共に凹凸状に形成されている。これにより、第１放熱パネル部１３１と第２放熱パネル部１３２は、共に凹凸状に形成されていることから、第１放熱パネル部１３１と第２放熱パネル部１３２は、平坦な放熱パネル部を用いるのに比べて、放熱面積をより多く確保することができる。
【０１４５】
ヒータ１では、第１放熱パネル部１１と第２放熱パネル部１２の間に空気を取り込む部分には、フィルタ６０，７０が配置されている。これにより、ヒータ１では、取り込もうとする空気は、フィルタ６０，７０を通ることにより、塵埃等の浮遊物を除去することができる。
【０１４６】
本発明の実施形態のヒータは、安全で、安心、省エネルギ化が図れ、ファンを有していないので、清潔で静音で、環境に優しい。
【０１４７】
本発明の実施形態のヒータでは、隙間Ｄを５ｍｍ〜５０ｍｍに制御する事で、パネル間の不必要な放熱を抑える事ができ、パネル単体(１枚)での表面温度より、パネル表面の温度を１０％前後向上する事ができる。すなわち、１０％少ない消費電力であっても、同じ温度を維持する事ができる事から、省エネルギ効果が期待できる。
【０１４８】
以上、実施形態を挙げて本発明を説明したが、各実施形態は一例であり、特許請求の範囲に記載される発明の範囲は、発明の要旨を逸脱しない範囲内で種々変更できるものである。各実施形態は、任意に組み合わせることができる。
【０１４９】
例えば、本発明の実施形態のヒータを設置する場所としては、例えばトイレの部屋だけではなく、建屋の屋内の窓際、椅子の横、机の下、脱衣所、寝室の枕元等の暖房に用いることができる。ヒータのサイズは、用途に応じて選択できる。ヒータに通電する際のワット数は、用途に応じて選択できる。
【０１５０】
例えば、図２に示す第１実施形態のヒータ１は、第１放熱パネル部１１は、３枚のパネル板部材１３，１４，１５により構成され、第２放熱パネル部１２は、３枚のパネル板部材１６，１７，１８により構成されている。
【０１５１】
しかしこれに限らず、第１放熱パネル部１１は、１枚のパネル板部材により構成され、第２放熱パネル部１２も１枚のパネル板部材により構成されるようにしても良い。これにより、放熱効率がさらに向上する。この他に、例えば図９に示す第３実施形態のヒータ１Ａ、図１２に示す第６実施形態のヒータ１や、図１５に示す第８実施形態のヒータ１Ｓにおいても同様である。
【符号の説明】
【０１５２】
１      ヒータ
１Ａ    ヒータ
１Ｂ    ヒータ
１Ｓ    ヒータ
１１    第１放熱パネル部
１２    第２放熱パネル部
１３〜１８  パネル板部材
２０    電熱線（発熱体）
２１    第１支持部材
２２    第２支持部材
４１    脚部分
１３１  第１放熱パネル部
１３２  第２放熱パネル部
Ｄ      隙間
Ｈ      トイレの部屋
Ｗ      壁
Ｅ      床面部分
【図１】
2015212608.tif 000003
【図２】
2015212608.tif 000004
【図３】
2015212608.tif 000005
【図４】
2015212608.tif 000006
【図５】
2015212608.tif 000007
【図６】
2015212608.tif 000008
【図７】
2015212608.tif 000009
【図８】
2015212608.tif 000010
【図９】
2015212608.tif 000011
【図１０】
2015212608.tif 000012
【図１１】
2015212608.tif 000013
【図１２】
2015212608.tif 000014
【図１３】
2015212608.tif 000015
【図１４】
2015212608.tif 000016
【図１５】
2015212608.tif 000017
【図１６】
2015212608.tif 000018
【図１７】
2015212608.tif 000019
【図１８】
2015212608.tif 000020
【図１９】
2015212608.tif 000021
【図２０】
2015212608.tif 000022
【図２１】
2015212608.tif 000023
【図２２】
2015212608.tif 000024
【図２３】
2015212608.tif 000025